(57)【要約】【課題】周長が短い被測定部位に対しても容易かつ確実に装着固定されることが可能な血圧情報測定装置用カフを得る。【解決手段】カフ４０は、空気袋３４と、空気袋３４を内包する流体袋収容空間２５が長手方向の一端部２０Ｔ側に設けられた外装カバー２０と、外装カバー２０の表面において一端部２０Ｔから離れた位置に取り付けられ、外装カバー２０の他端部２０Ｓが挿通して折り返される環状部材３８と、外装カバー２０の他端部２０Ｓ側における表面に設けられた面ファスナー３１と、外装カバー２０の表面における面ファスナー３１よりも一端部２０Ｔ側に設けられた面ファスナー３２と、環状部材３８の一部に対して重なるように外装カバー２０の表面に設けられた面ファスナー３３とを備え、長手方向において環状部材３８が外装カバー２０に対して取り付けられている取付位置３８Ｒは、流体袋収容空間２５に重なっている。【選択図】図２
0003171697.tif 000002
【実用新案登録請求の範囲】
【請求項１】
生体を圧迫する流体袋と、
帯状に形成されるとともに前記生体の被測定部位に対して環状に巻き付けられ、前記流体袋を内包する流体袋収容空間が長手方向の一端部側に設けられた外装カバーと、
前記外装カバーの表面において前記一端部から離れた位置に取り付けられ、前記外装カバーの他端部が挿通して折り返される環状部材と、
前記外装カバーの前記表面側に設けられ、前記外装カバーの前記他端部側に位置する第１係止部材と、
前記外装カバーの前記表面側における前記第１係止部材よりも前記一端部側に設けられ、前記第１係止部材に対して相互に係止可能な第２係止部材と、
前記環状部材の一部に対して重なるように前記外装カバーの前記表面側に設けられ、前記第１係止部材に対して相互に係止可能な第３係止部材と、を備え、
前記長手方向において前記環状部材が前記外装カバーに対して取り付けられている取付位置は、前記流体袋収容空間に重なっている、
血圧情報測定装置用カフ。
【請求項２】
前記環状部材は、前記第３係止部材によって前記外装カバーに対して取り付けられている、
請求項１に記載の血圧情報測定装置用カフ。
【請求項３】
前記第２係止部材および前記第３係止部材は、互いに一体的に形成されている、
請求項１または２に記載の血圧情報測定装置用カフ。
【請求項４】
前記第３係止部材の幅は、前記第２係止部材の幅よりも広い、
請求項１から３のいずれかに記載の血圧情報測定装置用カフ。
【請求項５】
前記環状部材と前記流体袋収容空間との間には、前記外装カバーの前記一端部側の剛性を高める補強用カーラが設けられる、
請求項１から４のいずれかに記載の血圧情報測定装置用カフ。
【請求項６】
請求項１から５のいずれかに記載の血圧情報測定装置用カフと、
前記流体袋を膨縮させる膨縮機構と、
血圧情報を取得する血圧情報取得部とを備える、
血圧情報測定装置。
【考案の詳細な説明】
【技術分野】
【０００１】
本考案は、血圧値等の血圧情報を測定する際に被験者の被測定部位に装着された状態で使用される血圧情報測定装置用カフ、およびこれを備えた血圧情報測定装置に関する。
【背景技術】
【０００２】
血圧情報測定装置は、被験者の血圧情報を取得する。血圧情報測定装置が取得する血圧情報には、収縮期血圧値（最高血圧値）、拡張期血圧値（最低血圧値）、平均血圧値、被験者の脈波、脈拍、またはＡＩ（Augmentation  Index）値など、被験者の循環器系における種々の情報が含まれる。これらの血圧情報に基づいて、被験者の心臓の負荷、または被験者の動脈硬さの変化などが、血圧情報測定装置の使用者によって把握される。血圧情報測定装置は、被験者の循環器系における疾患の早期発見、予防または治療などのために使用されている。
【０００３】
特開２０１０−２５２８３６号公報（特許文献１）に開示されるように、血圧情報の測定には、血圧情報測定装置用カフ（以下、単に「カフ」とも称する）が使用される。カフは、内腔を有する帯状の部材である。カフは、血圧情報測定装置の使用時においては、上腕などの生体の一部に巻き付けられる。カフは、生体（たとえば上腕動脈）を圧迫するための流体袋を内包している。
【０００４】
収縮期血圧値または拡張期血圧値などの血圧値を測定するための血圧情報測定装置（以下、単に「血圧計」とも称する）においては、カフが生体の一部の体表面に巻き付けられた後、カフに内包される流体袋に気体または液体等の流体が注入および排出される。流体袋は、流体が注入されることによって膨張し、流体が排出されることにより収縮する。流体袋が膨張および収縮する際に発生する流体袋の内圧の変化が、動脈圧脈波または血圧値として取得される。
【０００５】
図１０および図１１を参照して、一般的なカフ４０Ｚについて説明する。図１０は、カフ４０Ｚの展開した状態を示す平面図である。図１１は、カフ４０Ｚを環状に形成した状態を示す斜視図である。図１０および図１１に示すように、カフ４０Ｚは、外装カバー２０、空気袋３４、環状部材３８、面ファスナー３１、および面ファスナー３２を備えている。
【０００６】
外装カバー２０は、全体として略帯状に形成され、長手方向における一方の端部に一端部２０Ｔを有し、長手方向における他方の端部に他端部２０Ｓを有している。外装カバー２０は、外装カバー２０の表面を構成する表面側構成部材２１と、外装カバー２０の裏面を構成する裏面側構成部材２２とを含む。表面側構成部材２１および裏面側構成部材２２は、互いに重ね合わせられた状態でその周縁が接合されることによって、袋状に形成されている。
【０００７】
空気袋３４は、外装カバー２０の一端部２０Ｔ側（外装カバー２０の長手方向における中心位置から見て一端部２０Ｔ寄りの位置）において、外装カバー２０に内包されている。空気袋３４は、外装カバー２０に内包された状態で、エアー管８０に接続されている。
【０００８】
面ファスナー３１および面ファスナー３２は、外装カバー２０の表面側構成部材２１上に設けられている。面ファスナー３１は、他端部２０Ｓの近傍に設けられる。面ファスナー３２は、面ファスナー３１よりも一端部２０Ｔ寄りに位置し、面ファスナー３１よりも長尺に形成されている。面ファスナー３１および面ファスナー３２は、互いに係止したり離れたりすることができる（図１１中における矢印ＡＲ１参照）。
【０００９】
図１２を参照して、カフ４０Ｚの使用時においては、外装カバー２０が生体の一部（たとえば上腕７０）に巻き付けられる。外装カバー２０の他端部２０Ｓは、環状部材３８に挿通される。外装カバー２０は、環状部材３８において折り返される。面ファスナー３１は、面ファスナー３２上に重ね合わされる（矢印ＡＲ２参照）。面ファスナー３１および面ファスナー３２同士が互いに係止することによって、カフ４０Ｚは、上腕７０に対して装着固定される。
【先行技術文献】
【特許文献】
【００１０】
【特許文献１】特開２０１０−２５２８３６号公報
【考案の概要】
【考案が解決しようとする課題】
【００１１】
図１３は、カフ４０Ｚが上腕７０に対して装着された際の様子を示す断面図である。上述のとおり、カフ４０Ｚの使用時においては、外装カバー２０は、環状部材３８において折り返される。ここで、上腕７０の周長が短い（換言すると、腕が細い）被験者にカフ４０Ｚが用いられることによって、面ファスナー３１は、面ファスナー３２が設けられている領域の端部３２Ｔを通り越してしまう場合がある。この場合、面ファスナー３１は、面ファスナー３２上に重ね合わされることができなくなり、カフ４０Ｚを上腕７０に対して固定することが困難となる。
【００１２】
本考案は、上記のような実情に鑑みてなされたものであって、周長が短い被測定部位に対しても容易かつ確実に装着固定されることが可能な血圧情報測定装置用カフおよびこれを備えた血圧情報測定装置を提供することを目的とする。
【課題を解決するための手段】
【００１３】
本考案に基づく血圧情報測定装置用カフは、生体を圧迫する流体袋と、帯状に形成されるとともに上記生体の被測定部位に対して環状に巻き付けられ、上記流体袋を内包する流体袋収容空間が長手方向の一端部側に設けられた外装カバーと、上記外装カバーの表面において上記一端部から離れた位置に取り付けられ、上記外装カバーの他端部が挿通して折り返される環状部材と、上記外装カバーの上記表面側に設けられ、上記外装カバーの上記他端部側に位置する第１係止部材と、上記外装カバーの上記表面側における上記第１係止部材よりも上記一端部側に設けられ、上記第１係止部材に対して相互に係止可能な第２係止部材と、上記環状部材の一部に対して重なるように上記外装カバーの上記表面側に設けられ、上記第１係止部材に対して相互に係止可能な第３係止部材と、を備え、上記長手方向において上記環状部材が上記外装カバーに対して取り付けられている取付位置は、上記流体袋収容空間に重なっている。
【００１４】
好ましくは、上記環状部材は、上記第３係止部材によって上記外装カバーに対して取り付けられている。
【００１５】
好ましくは、上記第２係止部材および上記第３係止部材は、互いに一体的に形成されている。
【００１６】
好ましくは、上記第３係止部材の幅は、上記第２係止部材の幅よりも広い。
好ましくは、上記環状部材と上記流体袋収容空間との間には、上記外装カバーの上記一端部側の剛性を高める補強用カーラが設けられる。
【００１７】
本考案に基づく血圧情報測定装置は、本考案に基づく上記の血圧情報測定装置用カフと、上記流体袋を膨縮させる膨縮機構と、血圧情報を取得する血圧情報取得部とを備える。
【考案の効果】
【００１８】
本考案によれば、周長が短い被測定部位に対しても容易かつ確実に装着固定されることが可能な血圧情報測定装置用カフおよびこれを備えた血圧情報測定装置を得ることができる。
【図面の簡単な説明】
【００１９】
【図１】実施の形態１における血圧計の全体構成を示す斜視図である。
【図２】実施の形態１におけるカフの展開した状態を示す平面図である。
【図３】実施の形態１におけるカフの一端部側を構成する各部材の完全に縫合する前の状態を示す断面図である。
【図４】実施の形態１における血圧計の機能ブロックを示す図である。
【図５】実施の形態１における血圧計の処理の流れを示す図である。
【図６】実施の形態１におけるカフを上腕に巻きつけた状態を示す断面図である。
【図７】実施の形態２におけるカフの一端部側を構成する各部材の完全に縫合する前の状態を示す断面図である。
【図８】実施の形態３におけるカフの一端部側を構成する各部材の完全に縫合する前の状態を示す断面図である。
【図９】実施の形態４におけるカフ（展開した状態）の一端部側を示す平面図である。
【図１０】一般的なカフの展開した状態を示す平面図である。
【図１１】一般的なカフを環状に形成した状態を示す斜視図である。
【図１２】一般的なカフを上腕に巻きつけた状態を示す斜視図である。
【図１３】一般的なカフを上腕に巻きつけた状態を示す断面図である。
【考案を実施するための形態】
【００２０】
本考案に基づいた各実施の形態における血圧情報測定装置用カフおよびこれを備えた血圧情報測定装置について、以下、図面を参照しながら説明する。
【００２１】
以下の各実施の形態においては、血圧情報測定装置用カフの一例として、上腕に巻き付けられて使用される血圧計用カフについて説明する。以下の各実施の形態においては、血圧情報測定装置用カフを備えた血圧情報測定装置の一例として、上記血圧計用カフを用いて収縮期血圧値および拡張期血圧値等の血圧値を測定可能とした血圧計について説明する。
【００２２】
以下の各実施の形態において、個数、量などに言及する場合、特に記載がある場合を除き、本考案の範囲は必ずしもその個数、量などに限定されない。以下に説明する各実施の形態において、同一の部品、相当部品に対しては、同一の参照番号を付し、重複する説明は繰り返さない場合がある。
【００２３】
［実施の形態１］
（血圧計１００）
図１〜図４を参照して、本実施の形態における血圧計１００について説明する。図１は、本実施の形態における血圧計１００の全体構成を示す斜視図である。
【００２４】
図１を参照して、血圧計１００は、本体１０、カフ４０、および、エアー管８０を備えている。本体１０は、箱状の筐体を有している。本体１０の上面には、表示部１２および操作部１５等が設けられている。本体１０は、テーブル等に載置された状態で使用される。
【００２５】
（エアー管８０）
エアー管８０は、互いに分離して構成された本体１０とカフ４０に内包される空気袋３４とを接続している。空気袋３４は、本体１０からエアー管８０を通じて流体が注入されることにより膨張する。空気袋３４は、本体１０からエアー管８０を通じて流体が排出されることにより収縮する。この膨張および収縮により、空気袋３４はたとえば上腕などの生体を圧迫することができる。
【００２６】
（カフ４０）
図２は、本実施の形態におけるカフ４０の展開した状態を示す平面図である。図１および図２に示すように、カフ４０は、外装カバー２０、空気袋３４（流体袋）、環状部材３８、面ファスナー３１（第１係止部材）、面ファスナー３２（第２係止部材）、および、面ファスナー３３（第３係止部材）を含んでいる。
【００２７】
（外装カバー２０）
外装カバー２０は、全体として略帯状に形成され、生体の被測定部位（図示せず）に対して環状に巻き付けられる。外装カバー２０は、長手方向における一方の端部に一端部２０Ｔを有し、長手方向における他方の端部に他端部２０Ｓを有している。
【００２８】
外装カバー２０は、外装カバー２０の表面を構成する表面側構成部材２１と、外装カバー２０の裏面を構成する裏面側構成部材２２とを含む。表面側構成部材２１および裏面側構成部材２２は、互いに重ね合わせられた状態でその周縁が接合されることによって、袋状に形成されている。カフ４０が使用される際、裏面側構成部材２２と上腕などの生体とが対向するように、外装カバー２０は上腕などの生体に対して環状に巻き付けられる。
【００２９】
裏面側構成部材２２としては、好適には空気袋３４の膨張によって上腕などに加えられる圧迫力が阻害されないように、十分に伸縮性に富んだ部材が使用される。表面側構成部材２１としては、裏面側構成部材２２に比して伸縮性に乏しい部材が使用され、たとえば、伸縮性の大小を比較的容易に調整することができるポリアミド（ＰＡ）またはポリエステル等の合成繊維からなる布地が使用される。
【００３０】
図３は、カフ４０の一端部２０Ｔ側を構成する部材の完全に縫合する前の状態を示す断面図である。図３に示すように、本実施の形態における表面側構成部材２１は、互いに重ね合わされた第１表面側構成部材２３および第２表面側構成部材２４から構成される。第１表面側構成部材２３および第２表面側構成部材２４は、縫合部材４４，４５，４６，４７などによって一体化され、全体として袋状に形成されている。
【００３１】
なお、第１表面側構成部材２３および第２表面側構成部材２４については図３においてのみ図示されている。図１、図２および後述する図６においては、図示上の便宜のため、第１表面側構成部材２３および第２表面側構成部材２４が一体化されることによって形成された表面側構成部材２１のみが図示されている。
【００３２】
第１表面側構成部材２３および第２表面側構成部材２４の間には、外装カバー２０の一端部２０Ｔ側の剛性を高める補強用カーラ５０が設けられる。補強用カーラ５０は、縫合部材４６および縫合部材４７によって仕切られた空間内に配置され、当該空間の内部において移動が規制されている。
【００３３】
補強用カーラ５０は、弾性を有する板状の部材が湾曲することによって形成されている。補強用カーラ５０は、表面側構成部材２１側から裏面側構成部材２２側に向かって円弧状に湾曲している。補強用カーラ５０が外装カバー２０の一端部２０Ｔ側に内包されることによって、カフ４０が上腕などの被測定部位に装着された際、外装カバー２０の一端部２０Ｔ側は被測定部位に対して良好にフィットすることができる。
【００３４】
なお、補強用カーラ５０も、図３においてのみ図示されている。図１、図２および後述する図６においては、図示上の便宜のため、補強用カーラ５０は図示されていない。
【００３５】
図２および図３を参照して、表面側構成部材２１および裏面側構成部材２２は、互いに重ね合わせられた状態でその周縁が接合されている。外装カバー２０の内部の一端部２０Ｔ側には、空気袋３４を内包するための流体袋収容空間２５（図２参照）が設けられている。
【００３６】
本実施の形態における表面側構成部材２１および裏面側構成部材２２は、互いに重ね合わせられた状態で、縫合部材４１〜４４（図２参照）によって互いに接合されている。縫合部材４１および縫合部材４２は、外装カバー２０の外縁に沿って全体としてＵ字状に設けられている。
【００３７】
縫合部材４１および縫合部材４２は、表面側構成部材２１および裏面側構成部材２２の各々の長辺同士を互いに接合しているとともに、他端部２０Ｓ側における表面側構成部材２１および裏面側構成部材２２の各々の短辺同士を互いに接合している。
【００３８】
縫合部材４４（図２および図３参照）は、外装カバー２０の一端部２０Ｔに沿って設けられ、一端部２０Ｔ側における表面側構成部材２１および裏面側構成部材２２の各々の短辺同士を互いに接合している。
【００３９】
図３に示すように、本実施の形態においては、表面側構成部材２１（第１表面側構成部材２３および第２表面側構成部材２４）と裏面側構成部材２２とは、互いに重ね合わされた状態で布片２６および縫合部材４５によって縫合および一体化されている。
【００４０】
縫合部材４５によって互いに一体化された表面側構成部材２１（第１表面側構成部材２３および第２表面側構成部材２４）および裏面側構成部材２２の端部は、折り返された状態で縫合部材４４によってさらに縫合され、その折り返された状態が縫合部材４４によって保持されている。この折り返された部分に、外装カバー２０としての一端部２０Ｔが形成されている。
【００４１】
縫合部材４３（図２参照）は、外装カバー２０の長手方向における略中心位置を、外装カバー２０の幅方向に沿って横断するように設けられている。縫合部材４３は、表面側構成部材２１および裏面側構成部材２２の略中心同士を互いに接合している。空気袋３４を内包するための流体袋収容空間２５（図２および図３参照）は、表面側構成部材２１および裏面側構成部材２２の間において縫合部材４１〜４４によって囲まれる領域内に形成されている。
【００４２】
（空気袋３４）
空気袋３４は、接続部８２（図２参照）を通してエアー管８０（図１参照）に接続されている。空気袋３４は、外装カバー２０の長手方向における一端部２０Ｔ側に形成された流体袋収容空間２５内に収容されている。
【００４３】
図３に示すように、空気袋３４は、表面部材３５および裏面部材３６から袋状に構成され、内部に膨縮空間３７を有している。表面部材３５および裏面部材３６は、好適には樹脂シートを用いて構成される。空気袋３４は、表面部材３５および裏面部材３６を重ね合わせ、その周縁を溶着することによって袋状に構成される。
【００４４】
表面部材３５および裏面部材３６を構成する樹脂シートの材質には、伸縮性に富んでおり溶着後において膨縮空間３７からの漏気がないものであればどのようなものでも使用可能である。好適には、表面部材３５および裏面部材３６を構成する樹脂シートの材質は、たとえばエチレン−酢酸ビニル共重合体（ＥＶＡ）、軟質塩化ビニル（ＰＶＣ）、ポリウレタン（ＰＵ）、または、天然ゴム（ＮＲ）である。
【００４５】
（面ファスナー３１，３２，３３）
図２に示すように、面ファスナー３１は、外装カバー２０を構成する表面側構成部材２１（本実施の形態においては、図３における第１表面側構成部材２３）上において略矩形状に設けられている。面ファスナー３１は、外装カバー２０の表面側であって、外装カバー２０の他端部２０Ｓ側に位置している。
【００４６】
面ファスナー３２も、外装カバー２０を構成する表面側構成部材２１（本実施の形態においては、図３における第１表面側構成部材２３）上において略矩形状に設けられている。面ファスナー３２の長さは、面ファスナー３１よりも長い。面ファスナー３２は、外装カバー２０の表面側であって、面ファスナー３１よりも外装カバー２０の一端部２０Ｔ側に位置している。面ファスナー３２は、面ファスナー３１に対して相互に係止可能である。
【００４７】
図２および図３を参照して、面ファスナー３３は、後述する環状部材３８の環状に形成された部分の内側に挿通されて折り返され、縫合部材４９（図３参照）によって布片２７（図３参照）と一体化されている。面ファスナー３３は、布片２７と一体化された状態で、縫合部材４８および縫合部材４９によって、面ファスナー３２および表面側構成部材２１（本実施の形態においては、図３における第１表面側構成部材２３）に対して取り付けられている。
【００４８】
面ファスナー３３は、外装カバー２０の表面側に位置するとともに、環状部材３８の一部に対して重なるように配置されている。本実施の形態においては、面ファスナー３３の幅は、面ファスナー３２の幅よりも広く形成される。面ファスナー３３も、面ファスナー３１に対して相互に係止可能である。
【００４９】
本実施の形態においては、面ファスナー３２および面ファスナー３３は、互いに別部材として準備された後、互いに重なるように一体化されている。面ファスナー３２および面ファスナー３３は、予め一つの部材として一体的に形成されていてもよい。面ファスナー３３が環状部材３８の一部に対して重なるように配置されていれば、面ファスナー３２および面ファスナー３３は互いに重なるように配置されていなくても（一体化されていなくても）よい。
【００５０】
（環状部材３８）
図２および図３を参照して、環状部材３８は、外装カバー２０の表面側において一端部２０Ｔから離れた位置に取り付けられている。図３を参照して上述したように、本実施の形態における環状部材３８は、面ファスナー３２および表面側構成部材２１の双方に取り付けられた面ファスナー３３によって、外装カバー２０に対して取り付けられている。
【００５１】
本実施の形態においては、外装カバー２０の長手方向において環状部材３８が外装カバー２０に対して取り付けられている取付位置３８Ｒ（図３参照）は、空気袋３４を収容するための流体袋収容空間２５に重なっている。上述のとおり、環状部材３８と流体袋収容空間２５との間には、外装カバー２０の一端部２０Ｔ側の剛性を高める補強用カーラ５０が設けられるとよい。
【００５２】
環状部材３８は、外装カバー２０との間に摩擦が生じ難いたとえば金属製の部材にて構成され、外装カバー２０の他端部２０Ｓ（図２参照）側の部分を挿通可能な挿通孔を有している。外装カバー２０は、外装カバー２０の他端部２０Ｓが環状部材３８の挿通孔に挿通されることによって、環状に形成される（図１参照）。
【００５３】
図１を再び参照して、上記の構成を有する血圧計１００およびカフ４０を使用して血圧値を測定するときは、カフ４０が、外装カバー２０の裏面（裏面側構成部材２２）とたとえば上腕とが対向するように載置される。
【００５４】
外装カバー２０は、長手方向における空気袋３４の略中心位置と、被測定部位とが対向するように、上腕に対して環状に巻き付けられる。面ファスナー３１と面ファスナー３２（若しくは面ファスナー３３）とは、重ね合わされることによって相互に係止し、巻き付けられたカフ４０の生体に対する締結状態を保持する。外装カバー２０に内包される空気袋３４が生体に対して固定されることによって、血圧情報の測定が可能となる。
【００５５】
（血圧計１００の機能ブロック）
図４を参照して、血圧計１００の機能ブロックについて説明する。血圧計１００の本体１０は、上述した表示部１２および操作部１５に加え、制御部１１と、メモリ部１３と、電源部１４と、加圧ポンプ１６ａと、排気弁１６ｂと、圧力センサ１６ｃと、加圧ポンプ駆動回路１７ａと、排気弁駆動回路１７ｂと、発振回路１７ｃとを備えている。
【００５６】
加圧ポンプ１６ａ、排気弁１６ｂおよび圧力センサ１６ｃは、血圧計１００におけるエア系コンポーネント１６に相当する。加圧ポンプ１６ａおよび排気弁１６ｂは、空気袋３４を膨張および収縮させるための血圧計１００における膨縮機構に相当する。
【００５７】
空気袋３４は、上述のとおりその内部に内腔としての膨縮空間を有している。空気袋３４は、エアー管８０を介して加圧ポンプ１６ａ、排気弁１６ｂおよび圧力センサ１６ｃのそれぞれに接続されている。
【００５８】
制御部１１は、たとえばＣＰＵ（Central  Processing  Unit）から構成される。制御部１１は、血圧計１００の全体を制御する。表示部１２は、たとえばＬＣＤ（Liquid  Crystal  Display）にて構成される。表示部１２は、測定結果等を表示する。
【００５９】
メモリ部１３は、処理用メモリ１３ａとデータ用メモリ１３ｂとから構成される。メモリ部１３は、処理用メモリ１３ａおよびデータ用メモリ１３ｂにより、血圧値測定のための処理手順を制御部１１等に実行させるためのプログラムを記憶したり、測定結果等を記憶したりする。
【００６０】
電源部１４は、制御部１１に電源としての電力を供給する。操作部１５は、電源スイッチ１５ａと、測定スイッチ１５ｂと、停止スイッチ１５ｃと、記録呼出スイッチ１５ｄとから構成される。操作部１５は、被験者等により各スイッチ１５ａ〜１５ｄの操作を受けて、外部からの命令を制御部１１または電源部１４に入力する。
【００６１】
制御部１１は、加圧ポンプ１６ａおよび排気弁１６ｂを駆動するための制御信号を、加圧ポンプ駆動回路１７ａおよび排気弁駆動回路１７ｂにそれぞれ入力する。制御部１１は、測定結果としての血圧値をメモリ部１３または表示部１２に入力する。
【００６２】
制御部１１は、圧力センサ１６ｃによって検出された圧力値に基づいて被験者の血圧値を取得する血圧情報取得部（不図示）を含んでいる。血圧情報測定部によって取得された血圧値が、測定結果として上述したメモリ部１３または表示部１２に入力される。
【００６３】
血圧計１００は、測定結果としての血圧値を外部の機器（たとえばＰＣ（Personal  Computer）やプリンタ等）に出力する出力部を別途有していてもよい。出力部としては、たとえばシリアル通信回線または各種の記録媒体への書き込み装置等が使用可能である。
【００６４】
加圧ポンプ１６ａの膨縮動作は、制御部１１から入力された制御信号に基づいて加圧ポンプ駆動回路１７ａにより制御される。加圧ポンプ１６ａは、空気袋３４の内腔に空気などの流体を供給することにより、空気袋３４の内部の圧力（以下、「カフ圧」とも称する）を加圧する。
【００６５】
排気弁１６ｂの開閉動作は、制御部１１から入力された制御信号に基づいて排気弁駆動回路１７ｂにより制御される。排気弁１６ｂは、空気袋３４の内部の圧力を維持したり、空気袋３４の内腔を外部に開放してカフ圧を減圧したりする。
【００６６】
圧力センサ１６ｃは、空気袋３４の内部の圧力に応じた出力信号を発振回路１７ｃに入力する。発振回路１７ｃは、圧力センサ１６ｃから入力された信号に応じた発振周波数の信号を生成し、生成した信号を制御部１１に入力する。
【００６７】
（血圧計１００の処理の流れ）
図４および図５を参照して、血圧計１００の処理の流れについて説明する。血圧計１００の処理の流れに従うプログラムは、メモリ部１３に予め記憶されている。制御部１１がメモリ部１３からこのプログラムを読み出して実行することにより、血圧計１００の処理が実行される。
【００６８】
血圧値を測定する際には、被験者は予めカフ４０を上腕などに装着する。この状態において、被験者は本体１０に設けられた操作部１５（電源スイッチ１５ａ）を操作して、血圧計１００の電源をＯＮにする（ステップＳＴ１）。
【００６９】
電源部１４から制御部１１に対して電源としての電力が供給されて制御部１１が駆動する。制御部１１はメモリ部１３の初期化を行なう（ステップＳＴ２）。制御部１１は、圧力センサ１６ｃの初期化を行なう（ステップＳＴ３）。
【００７０】
制御部１１は被験者の測定開始の指示を待つ。被験者は、測定開始の指示として、操作部１５（測定スイッチ１５ｂ）を操作する（ステップＳＴ４）。制御部１１は、排気弁１６ｂを閉塞させるとともに加圧ポンプ１６ａを駆動させる。空気袋３４の加圧が開始される（ステップＳＴ５）。
【００７１】
空気袋３４のカフ圧は上昇する。空気袋３４のカフ圧は、血圧値測定のために必要な所定のカフ圧以上にまで達する（ステップＳＴ６）。制御部１１は加圧ポンプ１６ａを停止させ、閉じていた排気弁１６ｂを開放する。空気袋３４内の空気が排気され、空気袋３４の減圧が徐々に開始される（ステップＳＴ７）。
【００７２】
本実施の形態における血圧計１００においては、カフ圧が徐々に減圧される過程において血圧値を測定する。血圧計１００は、制御部１１により収縮期血圧値および拡張期血圧値等の血圧値を算出する（ステップＳＴ８）。
【００７３】
制御部１１は、空気袋３４のカフ圧が徐々に減圧する過程において発振回路１７ｃから得られる発振周波数に基づき、脈波情報を抽出する。制御部１１は、抽出された脈波情報に基づいて血圧値を決定する（ステップＳＴ９）。
【００７４】
血圧値が決定されると、制御部１１は、排気弁１６ｂを開放して空気袋３４内の空気を完全に排気する（ステップＳＴ１０）。制御部１１は、測定結果としての血圧値を表示部１２に表示する（ステップＳＴ１１）。制御部１１は、当該血圧値をメモリ部１３に格納し、データとして記録する（ステップＳＴ１２）。
【００７５】
被験者は、本体に設けられた操作部１５（電源スイッチ１５ａ）を操作して、血圧計１００の電源をＯＦＦにする。電源ＯＦＦにより、血圧計１００の動作は終了する（ステップＳＴ１３）。
【００７６】
以上において説明した測定方式は、空気袋３４の減圧時に脈波を検出するいわゆる減圧測定方式である。本実施の形態における血圧計１００の測定方式は減圧測定方式に限られず、空気袋３４の加圧時に脈波を検出するいわゆる加圧測定方式を採用することも可能である。
【００７７】
（作用・効果）
図６は、本実施の形態におけるカフ４０が上腕７０に対して装着された際の様子を示す断面図である。上述のとおり、カフ４０の使用時においては、外装カバー２０は環状部材３８に挿通されるとともに環状部材３８において折り返される。ここで、上腕７０の周長が短い（換言すると、腕が細い）被験者にカフ４０が用いられる場合がある。
【００７８】
本実施の形態におけるカフ４０においては、面ファスナー３２に対して面ファスナー３３が一体化されている。面ファスナー３２および面ファスナー３３は、冒頭に説明したカフ４０Ｚ（図１３参照）に比べて環状部材３８の近傍にまで広く設けられる。面ファスナー３３は、環状部材３８の一部に対して重なるように設けられている。
【００７９】
カフ４０が上腕７０の周長が短い被験者に用いられた場合であっても、冒頭に説明したカフ４０Ｚ（図１３参照）とは異なり、面ファスナー３１は、面ファスナー３２または面ファスナー３３に対して長手方向に広い範囲で係止することが可能となる。面ファスナー３１は、冒頭に説明したカフ４０Ｚ（図１３参照）に比べて容易に面ファスナー３２または面ファスナー３３上に重ね合わされることが可能であり、上腕７０などに対して柔軟に固定されることができる。
【００８０】
本実施の形態におけるカフ４０は、長手方向において環状部材３８が外装カバー２０に対して取り付けられている取付位置（図３における取付位置３８Ｒ）が、流体袋収容空間２５に重なっている。換言すると、流体袋収容空間２５は、冒頭に説明したカフ４０Ｚに比べて一端部２０Ｔ側に延びて設けられている。当該構成によれば、カフ４０における空気袋３４は、冒頭に説明したカフ４０Ｚに比べて一端部２０Ｔ側に配置されることができる。
【００８１】
図１３を再び参照して、カフ４０Ｚにおいては、流体袋収容空間２５が、外装カバー２０の一端部２０Ｔおよび環状部材３８から離れている。空気袋３４も、外装カバー２０の一端部２０Ｔおよび環状部材３８から離れている。カフ４０Ｚがさらに腕の細い被験者の上腕７０に巻き付けられた場合、カフ４０Ｚにおける空気袋３４の端部３４Ｔは、環状部材３８に入り込んでしまうことが考えられる。
【００８２】
図６を再び参照して、上述のカフ４０Ｚに対して、本実施の形態のカフ４０における流体袋収容空間２５は、カフ４０Ｚに比べて一端部２０Ｔ側に延びて設けられている。カフ４０における空気袋３４は、冒頭に説明したカフ４０Ｚに比べて一端部２０Ｔ側に配置されることができる。上腕７０に対してカフ４０とカフ４０Ｚとがそれぞれ巻き付けられた場合、空気袋３４の端部３４Ｔは、カフ４０の方がカフ４０Ｚよりも環状部材３８から遠くなるように構成されることができる。したがって、カフ４０によれば、カフ４０Ｚに比べて空気袋３４の端部３４Ｔが環状部材３８に入り込んでしまうことを防止することが可能となる。
【００８３】
したがって、本実施の形態におけるカフ４０およびこれを備えた血圧計１００によれば、精度よく安定的に血圧情報を測定することが可能となる。
【００８４】
［実施の形態２］
図７を参照して、本実施の形態について説明する。上述の実施の形態１においては（図３参照）、面ファスナー３３は、環状部材３８の環状に形成された部分の内側に挿通されて折り返され、縫合部材４９によって布片２７と一体化されている。面ファスナー３３は、布片２７と一体化された状態で、縫合部材４８および縫合部材４９によって、面ファスナー３２および表面側構成部材２１に対して取り付けられている。
【００８５】
図７に示すように、本実施の形態においては、カフ４０Ａが用いられる。カフ４０Ａにおいては、縫合部材４７および縫合部材４８によって面ファスナー３２に縫い付けられた布片２７が、環状部材３８の環状に形成された部分の内側に挿通される。縫合部材４９によって、布片２７と表面側構成部材２１（第１表面側構成部材２３）とが互いに接合されている。面ファスナー３３は、布片２７の表面に接合されるとともに、環状部材３８の一部に対して（布片２７を挟んで）重なるように設けられる。
【００８６】
当該構成によっても、面ファスナー３１（図１など参照）は、冒頭に説明したカフ４０Ｚ（図１３参照）に比べて容易に面ファスナー３２または面ファスナー３３上に重ね合わされることが可能であり、上腕７０などに対して柔軟に固定されることができる。したがって、本実施の形態におけるカフ４０Ａおよびこれを備えた血圧計によっても、精度よく安定的に血圧情報を測定することが可能となる。
【００８７】
［実施の形態３］
図８を参照して、本実施の形態について説明する。本実施の形態においては、カフ４０Ｂが用いられる。カフ４０Ｂにおいては、縫合部材４７および縫合部材４８の双方によって面ファスナー３２に縫い付けられた面ファスナー３３が、環状部材３８の環状に形成された部分の内側に挿通されるとともに、折り返されて縫合部材４９によって閉じられている。本実施の形態においては、面ファスナー３２と面ファスナー３３とが互いに直接的に一体化され、面ファスナー３３は、環状部材３８の一部に対して重なるように設けられる。
【００８８】
当該構成によっても、面ファスナー３１（図１など参照）は、冒頭に説明したカフ４０Ｚ（図１３参照）に比べて容易に面ファスナー３２または面ファスナー３３上に重ね合わされることが可能であり、上腕７０などに対して柔軟に固定されることができる。本実施の形態におけるカフ４０Ｂおよびこれを備えた血圧計によっても、精度よく安定的に血圧情報を測定することが可能となる。
【００８９】
［実施の形態４］
図９を参照して、本実施の形態について説明する。本実施の形態においては、カフ４０Ｃが用いられる。上述の実施の形態１においては（図２参照）、面ファスナー３３の幅は、面ファスナー３２の幅よりも広く形成される。
【００９０】
図９に示すように、カフ４０Ｃにおいては、面ファスナー３３の幅３３Ｗは、面ファスナー３２の幅３２Ｗよりも狭く形成される。当該構成によっても、面ファスナー３１（図１など参照）は、冒頭に説明したカフ４０Ｚ（図１３参照）に比べて容易に面ファスナー３２または面ファスナー３３上に重ね合わされることが可能であり、上腕７０などに対して柔軟に固定されることができる。本実施の形態におけるカフ４０Ｃおよびこれを備えた血圧計によっても、精度よく安定的に血圧情報を測定することが可能となる。
【００９１】
以上、本考案に基づいた各実施の形態について説明したが、今回開示された各実施の形態はすべての点で例示であって制限的なものではない。本考案の技術的範囲は実用新案登録請求の範囲によって示され、実用新案登録請求の範囲と均等の意味および範囲内でのすべての変更が含まれることが意図される。
【００９２】
たとえば、上述の各実施の形態においては、血圧値の測定に際して上腕にカフが装着されるいわゆる上腕式の血圧計およびこれに具備される血圧計用カフを例示して説明を行なったが、特にこれに限定されるものではない。上述の各実施の形態における構成は、血圧値の測定に際して手首にカフが装着されるいわゆる手首式の血圧計およびこれに具備される血圧計用カフに適用することも可能である。
【００９３】
上述の各実施の形態における構成は、血圧値の測定に際して足首にカフが装着されるいわゆる足首式の血圧計およびこれに具備される血圧計用カフ等に適用することも可能である。上述の各実施の形態における構成は、収縮期血圧値および拡張期血圧値等の血圧値が測定可能な血圧計およびこれに具備される血圧計用カフに適用した場合を例示して説明を行なったが、特にこれに限定されるものではない。
【００９４】
上述の各実施の形態における構成は、収縮期血圧値および拡張期血圧値等の血圧値以外の他の血圧情報（たとえば、平均血圧値、脈波、脈拍、ＡＩ（Augmentation  Index）値等）が測定可能な血圧情報測定装置およびこれに具備される血圧情報測定装置用カフに適用することも可能である。
【符号の説明】
【００９５】
１０  本体、１１  制御部、１２  表示部、１３  メモリ部、１３ａ  処理用メモリ、１３ｂ  データ用メモリ、１４  電源部、１５  操作部、１５ａ  電源スイッチ、１５ｂ  測定スイッチ、１５ｃ  停止スイッチ、１５ｄ  記録呼出スイッチ、１６  エア系コンポーネント、１６ａ  加圧ポンプ、１６ｂ  排気弁、１６ｃ  圧力センサ、１７ａ  加圧ポンプ駆動回路、１７ｂ  排気弁駆動回路、１７ｃ  発振回路、２０  外装カバー、２０Ｓ  他端部、２０Ｔ  一端部、２１  表面側構成部材、２２  裏面側構成部材、２３  第１表面側構成部材、２４  第２表面側構成部材、２５  流体袋収容空間、２６，２７  布片、３１  面ファスナー（第１係止部材）、３２  面ファスナー（第２係止部材）、３３  面ファスナー（第３係止部材）、３２Ｔ，３４Ｔ  端部、３２Ｗ，３３Ｗ  幅、３４  空気袋（流体袋）、３５  表面部材、３６  裏面部材、３７  膨縮空間、３８  環状部材、３８Ｒ  取付位置、４０，４０Ａ，４０Ｂ，４０Ｃ，４０Ｚ  カフ（血圧情報測定装置用カフ）、４１，４２，４３，４４，４５，４６，４７，４８，４９  縫合部材、５０  補強用カーラ、７０  上腕、８０  エアー管、８２  接続部、１００  血圧計（血圧情報測定装置）、ＡＲ１，ＡＲ２  矢印、ＳＴ１，ＳＴ２，ＳＴ３，ＳＴ４，ＳＴ５，ＳＴ６，ＳＴ７，ＳＴ８，ＳＴ９，ＳＴ１０，ＳＴ１１，ＳＴ１２，ＳＴ１３  ステップ。
【図１】
0003171697.tif 000003
【図２】
0003171697.tif 000004
【図３】
0003171697.tif 000005
【図４】
0003171697.tif 000006
【図５】
0003171697.tif 000007
【図６】
0003171697.tif 000008
【図７】
0003171697.tif 000009
【図８】
0003171697.tif 000010
【図９】
0003171697.tif 000011
【図１０】
0003171697.tif 000012
【図１１】
0003171697.tif 000013
【図１２】
0003171697.tif 000014
【図１３】
0003171697.tif 000015